【手続補正書】
【提出日】平成20年7月7日(2008.7.7)
【手続補正１】
【補正対象書類名】明細書
【補正対象項目名】特許請求の範囲
【補正方法】変更
【補正の内容】
【特許請求の範囲】
【請求項１】  可撓性の基材と；
一列の、小さく、規則正しく間隔を置いた、一般的に均一の厚さの、重なっていない、硬く、凸状で多角形の形状で、印刷されたポリマー材料の、間げき区域によって分離されていない、ガードプレートと、
を含む、柔軟で、全体的に可撓性で、局部的に硬く切断に抵抗力のある複合織物（繊維）であって、
前記ガードプレートは、長く伸びた直線の間げき区域のない所定のパターンで配列されており、しかも、前記基材の表面上に、長い寸法と短い寸法を持つ、前記基材と平行の領域を有し、
前記ガードプレートのポリマー材料は、ガードプレートの前記領域を横切って前記織物基材中に侵入して、前記ガードプレートと前記織物基材との間の機械的接着を与え、
前記短い寸法に対する前記長い寸法の縦横比は、約２〜１であり、
前記短い寸法は約８０ミルであり、
隣接するガードプレート間の間げきの幅は、均一で約１４ミル以下であり、
前記ガードプレートの厚さは、約２０ミル以下であり、
前記複合織物の全体の切断抵抗力が、前記可撓性の基材の切断抵抗力よりも実質的に大きい、
前記の複合織物。
【請求項２】  前記ガードプレートが六角形の形状である、請求項１に記載の切断に抵抗力のある織物。
【請求項３】  前記ガードプレートが約８０ミル以下の短い寸法を有する、請求項１又は２に記載の切断に抵抗力のある織物。
【請求項４】  前記多角形の形状のガードプレートのすべての内角が約４０度以上である、請求項１〜３のいずれか１項に記載の切断に抵抗力のある織物。
【請求項５】  前記ガードプレートが、非ポリマー充填材を含んでいる、請求項１〜４のいずれか１項に記載の切断に抵抗力のある織物。
【請求項６】  前記間げき区域が、前記長い寸法の長さよりも実質的に大きくない直線長さを有する、請求項１〜５のいずれか１項に記載の切断に抵抗力のある織物。
【請求項７】  前記織物の２枚以上の積み重ねシートを含む、請求項１〜６のいずれか１項に記載の切断に抵抗力のある織物。
【手続補正２】
【補正対象書類名】明細書
【補正対象項目名】０１１６
【補正方法】変更
【補正の内容】
【０１１６】
本明細書は、本発明の貫通抵抗性の繊維の種々の実施形態を開示し、解説するものである。複数のプレート及び層の種々の配列が開示されている。しかし、これらの解説され及び開示された配列は、本発明の目的を実施し達成するための唯一の配列を意図するものでもないし、本発明に包含される唯一の可能な実施形態を示すものでもない。本発明は、本発明の貫通抵抗性繊維の範囲内で変形が可能であり、そしてそれ故、本発明は本明細書に記載された正確な細部に限定されるものではない。本発明は、添付の特許請求の範囲の範囲内である全ての変形、代替を含むものである。
本発明に関して、更に以下の内容を開示する。
（１）  接続材料及び該接続材料に貼られた一列の板（プレート）を含む織物（繊維）であって、該板が、お互いに間隔を置いた関係で貼られている、前記の織物。
（２）  接続材料及び該接続材料に貼られた板を含む織物。
（３）  接続材料及び該接続材料に貼られた複数の板を含む織物であって、該板が、お互いに間隔を置いた関係で貼られている、前記の織物。
（４）  接続材料及び該接続材料に貼られた複数の板を含む織物であって、該板が、該接続材料により、お互いに間隔を置いた関係で維持されている、前記の織物。
（５）  間隔を置いた関係で一緒に複数の板を弾力的に接続するための手段に貼られた該複数の板を含む織物。
（６）  １層より多い織物の積重ねをさらに含む、（１）〜（５）のいずれか１項に記載の織物。
（７）  前記の積重ね層がお互いに貼られている、（６）に記載の織物。
（８）  前記の積重ね層が、前記層の連続部分上の場所に一緒にそれらを結合することにより貼られている、（７）に記載の織物。
（９）  前記の積重ね層が、前記層の不連続部分上の場所に一緒にそれらを結合することにより貼られている、（７）に記載の織物。
（１０）  ２層より多い織物層を含み、隣接する層の各セット間の貼りつけ場所が、該織物の積重ね中の隣接する層の各連続するセット間の貼りつけ場所からずれており、それにより、連続する隣接の層間の貼りつけ場所が重ならないようにする、（７）に記載の織物。
（１１）  前記層が、前記層の連続及び不連続部分上の場所で、共に貼られている、（７）に記載の織物。
（１２）  接続材料が、織布、不織布、多孔性、柔軟な材料から選択され、その延伸性に対する限界を有している、（１１）に記載の織物。
（１３）  前記板が、研磨表面を有する、（１）に記載の織物。
（１４）  基材及び該基材の少なくとも１つの側に貼られた一列の板を含む織物であって、前記板がお互いに間隔をおいた関係で貼りついている、前記の織物。
（１５）  基材及び該基材の少なくとも１つの側に貼られた複数の板を含む織物。
（１６）  基材及び該基材の少なくとも１つの側に貼られた複数の板を含む織物であって、前記板の列が基材によりお互いに間隔をおいた関係で維持されている、前記の織物。
（１７）  １層より多いそれらの織物の積重ねをさらに含む、（１４）〜（１６）のいずれか１項に記載の織物。
（１８）  前記の積重ね層がお互いに貼られている、（１７）に記載の織物。
（１９）  前記の積重ね層が、前記層の基材部分上の場所に結合することによりお互いに貼られている、（１８）に記載の織物。
（２０）  ２層より多い織物層を含み、隣接する層の第一のセット間の貼りつけ場所が、該織物の積重ね中の連続する隣接層間の貼りつけ場所からずれており、それにより、連続する隣接層間の貼りつけ場所が重ならないようにする、（１７）に記載の織物。
（２１）  前記の積重ね層が、前記基材の少なくとも１つの側に貼られた少なくとも１つの板上の場所に結合させることにより、お互いに貼られている、（１８）に記載の織物。
（２２）  ポリマー物質から構成される板を含む、（１４）〜（１６）のいずれか１項に記載の織物。
（２３）  前記板が、結合により、接続材料に貼られている、（１）に記載の織物。
（２４）  前記接続材料上に板の形状で未硬化のポリマー物質を形成し、その後、該ポリマー物質を硬化して該板を形成することにより、該板が接続材料に貼られ、しかも、該板は、接続材料ウェブを通って伸び、それにより、該板の場所で接続材料が板の一体化部分となる、（１）に記載の織物。
（２５）  接続材料、該接続材料に貼られた一列の板、及び該板のメッシュ補強を含む織物であって、該板が、該接続材料により、お互いに間隔をおいた関係で維持されている、前記の織物。
（２６）  接続材料、該接続材料に貼られた一列の板、及び該板のメッシュ補強を含む織物であって、該板が、該基材により、お互いに間隔をおいた関係で維持されている、前記の織物。
（２７）  １層より多い織物の積重ねをさらに含む、（２５）または（２６）に記載の織物。
（２８）  ａ．メッシュ補強で接続材料を覆い；
ｂ．該接続材料−メッシュ補強の組合わせをポリマー樹脂で被覆し；
ｃ．該接続材料−メッシュ補強−ポリマー樹脂の組合わせの上に、一列の板の形で開口でパターン化されたフォトマスクを配置し；
ｄ．工程（ｃ）のフォトマスクされた組合わせを、硬化剤にさらして、フォトマスクで覆われていない重合樹脂を硬化し；
ｅ．さらされていない未硬化のポリマー樹脂を洗い流して織物中にすき間を形成し；そして、
ｆ．すき間にあるさらされたメッシュ補強をエッチング処理する：
工程を包含し、しかも、該織物が、接続材料により間隔をおいた列で置かれた一列の補強板を有する、（２５）に記載の織物の製法。
（２９）  ａ．メッシュ補強で基材を覆い；
ｂ．該基材−メッシュ補強の組合わせをポリマー樹脂で被覆し；
ｃ．該基材−メッシュ補強−ポリマー樹脂の組合わせの上に、一列の板の形で開口でパターン化されたフォトマスクを配置し；
ｄ．工程（ｃ）のフォトマスクされた組合わせを、紫外線にさらして、フォトマスクで覆われていない重合樹脂を硬化し；そして、
ｅ．さらされていない未硬化のポリマー樹脂を洗い流して織物中にすき間を形成する：
工程を包含し、しかも、該織物が、メッシュ補強及び基材により間隔をおいた列で置かれた一列の補強板を有する、（２６）に記載の織物の製法。
（３０）  メッシュ補強が金属である、（２７）に記載の織物。
（３１）  接続材料に貼られた基材を含む織物であって、該接続材料が、該接続材料に貼られた一列のメッシュ補強板を有し、それにより、該板がお互いに間隔をおいた関係で維持されている、前記の織物。
（３２）  ポリマー物質でできた板をさらに含む、（２５）、（２６）または（３１）に記載の織物。
（３３）  接続材料及び該接続材料に貼られた一列の金属板を含み、該板が、該接続材料によりお互いに間隔をおいた関係で維持されている、前記の織物。
（３４）  ａ．結合剤で接続材料を被覆し；
ｂ．該結合剤で被覆された接続材料を金属シートで覆い；
ｃ．一列の板の間にすき間の形でフォトレジストフィルム内に開口でパターン化されたフォトレジストフィルムで工程（ｂ）の組み合わせを被覆し；
ｄ．工程（ｃ）のフォトレジストフィルムの組合わせを、金属エッチング材料にさらして、フォトレジストフィルムで覆われていない金属シートをエッチング処理し；そして
ｅ．該フォトレジストフィルムを除去する：
工程を包含し、しかも、該織物が、接続材料により間隔をおいた列で置かれた一列の金属板を有する、（３３）に記載の織物の製法。
（３５）  ａ．板が結合材料上に配置されるであろう範囲で、結合材料を接続材料に適用し；
ｂ．該結合剤で被覆された接続材料を金属シートで覆い；
ｃ．一列の板の間にすき間の形でフォトレジストフィルム内に開口でパターン化されたフォトレジストフィルムで工程（ｂ）の組み合わせを被覆し；
ｄ．工程（ｃ）のフォトレジストフィルムの組合わせを、金属エッチング材料にさらして、フォトレジストフィルムで覆われていない金属シートをエッチング処理し；そして
ｅ．該フォトレジストフィルムを除去する：
工程を包含し、しかも、該織物が、接続材料により間隔をおいた列で置かれた一列の金属板を有する、（３３）に記載の織物の製法。
（３６）  板の厚さが、板間のすき間のサイズよりも大きくない、（１）、（１４）、（２７）または（３３）に記載の織物。
（３７）  板の材料の厚みが、２〜５ミルの範囲内にある、（３６）に記載の織物。
（３８）  ａ．基材；
ｂ．基材の第一の表面上に結合した第一の接続材料、及び、基材の第二の表面上に結合した第二の接続材料であって、第一及び第二の接続材料の各々が、第一及び第二の接続材料に貼られた一列の金属板を有し、それにより、第一及び第二の接続材料が、お互いに予備的に間隔をおいた関係で該板を維持している、該第一の接続材料及び第二の接続材料；及び
ｃ．該板間のプレート間開口の記録を最小にするためにお互いに配向されたその列の金属板を有する各々の第一及び第二の接続材料：
を含む、織物。
（３９）  ａ．第一の接続材料及び該第一の接続材料に貼られた一列の金属板であって、該板は該第一の接続材料によりお互いに間隔をおいた関係で維持されている、第一の接続材料及び一列の金属板；
ｂ．第二の接続材料及び該第二の接続材料に貼られた一列の金属板であって、該板は該第二の接続材料によりお互いに間隔をおいた関係で維持されている、第二の接続材料及び一列の金属板；及び
ｃ．該板間のプレート間開口の記録を最小にするためにお互いに配向内で該第一の接続材料に貼られた第二の接続材料：
を含む、織物。
（４０）  第二列の金属板に結合した第一列の金属板を含む織物であって、金属板の各層が、金属板の他の層により間隔をおいた列で置かれており、該板間のプレート間開口の記録を最小にするために、該第一列の金属板は、該第二列の金属板に配向されている、織物。
（４１）  ａ．結合材料を第一の金属シートに適用し；
ｂ．該結合剤を第二の金属シートで覆い；
ｃ．一列の板の間にすき間の形で第一のフォトレジストフィルム内に開口でパターン化された第一のフォトレジストフィルムで工程（ｂ）の組み合わせの第一の金属シートを被覆し；
ｄ．工程（ｂ）の組合わせの第二の金属シートを、一列の板の間にすき間の形で第二のフォトレジストフィルム内に開口でパターン化された第二のフォトレジストフィルムで被覆し、該板間のプレート間開口の記録を最小にするために、該第一のフォトレジストフィルムに、第二のフォトレジストフィルムが配向されており：
ｅ．工程（ｄ）の第一及び第二のフォトレジストフィルムの組合わせを、金属エッチング材料にさらして、フォトレジストフィルムで覆われていない金属シートをエッチング処理し；そして
ｆ．該フォトレジストフィルムを除去する：
工程を包含し、
しかも、該織物が、第一及び第二層の金属板を有し、金属板の各層は、金属板の他の層により間隔をおいた列で置かれている、織物の製法。
（４２）  ａ．結合スポットを第一の金属シートに適用し；
ｂ．工程（ａ）の第一の金属シートを、第二の金属シートに覆い；
ｃ．一列の板の間にすき間の形で第一のフォトレジストフィルム内に開口でパターン化された第一のフォトレジストフィルムで工程（ｂ）の第一の金属シートを被覆し；
ｄ．工程（ｂ）の第二の金属シートを、一列の板の間にすき間の形で第二のフォトレジストフィルム内に開口でパターン化された第二のフォトレジストフィルムで被覆し、該板間のプレート間開口の記録を最小にするために、該第一のフォトレジストフィルムに、第二のフォトレジストフィルムが配向されており：
ｅ．工程（ｄ）の第一及び第二のフォトレジストフィルムを、金属エッチング材料にさらして、フォトレジストフィルムで覆われていない金属シートをエッチング処理し；そして
ｆ．該フォトレジストフィルムを除去する：
工程を包含し、
しかも、該織物が、第一及び第二層の金属板を有し、金属板の他の層により間隔をおいた列で置かれた金属板の各層を有し、そして、工程（ａ）の結合スポットを有し、結合スポットが、第一の層の金属板内に金属板と、第二層の金属板内の隣接する金属板に対して接続するように、工程（ａ）の結合スポットが配置されている、織物の製法。
（４３）  接続材料、該接続材料に貼られた一列の金属板、及び該板のメッシュ補強を含む織物であって、該板が、該接続材料により、お互いに間隔をおいた関係で維持されている、前記の織物。
（４４）  ａ．基材；および
ｂ．基材の表面上に結合した接続材料であって、該接続材料が、該接続材料に貼られた一列の金属板を有し、それにより、該接続材料が、お互いに予備的に間隔をおいた関係で該板を維持している、該接続材料：
を含む、織物。
（４５）  基材に貼りついた一列の金属板を有する基材を含む織物であって、該板が、お互いに予備的に間隔をおいた関係で維持されている、織物。
（４６）  お互いに垂直の隣接する断絶したラインで、断絶したラインの形の一列の形状を使用して結合することにより、前記層が貼りついている、（７）に記載の織物。
（４７）  （ａ）基材；（ｂ）基材の第一の表面上に支持された接続材料；及び（ｃ）該接続材料を通して設立され、該基材に貼りついている板の層、を含む織物であって、該接続材料が、お互いに予備的に間隔をおいた関係で該板を維持している、織物。
（４８）  第一の接続材料が基材の第一の表面上に支持されており、第二の接続材料が基材の第二の表面上に支持されており、
ａ．板列が、該第一の接続材料を通して設立され、該基材の第一表面に貼りついており、板列が、該第二の接続材料を通して設立され、該基材の第二表面に貼りついており；
ｂ．それにより、板列の各々の板が、お互いに予備的に間隔をおいた関係で維持されており；そして
ｃ．板列の第一及び第二層が、お互いに配向されて、該第一及び第二層のプレート間開口の記録を最小にする、
（４１）に記載の織物。
（４９）  基材の第一及び第二の両方の表面上の板列が、同じものおよび異なるものから選択される、（４８）に記載の織物。
（５０）  開口板の列が、お互いに予備的に間隔をおいた関係の板列の第一または第二層の少なくとも１つと基材との間で基材と貼りついており、板列の第一および第二層のプレート間開口を重ねるために間隔をおいており、サイズされている、（４８）に記載の織物。
（５１）  第一および第二の板列の板が、ガードプレートであり、該ガードプレート列層の少なくとも１つが、基材から反対に面している少なくとも１つのガードプレート列層に貼りついている開口板を有し、該開口板は、ガードプレート板列層の第一および第二層のプレート間開口を重ねるために間隔をおいており、サイズされており、お互いに予備的に間隔をおいた関係で維持されている、（４８）に記載の織物。
（５２）  ａ．第一基材の第一面が、第一基材の第二面と反対にあり、第一基材の第二面は、板の第一層により覆われており；
ｂ．第二基材の第一面が、第二基材の第二面と反対にあり、第二基材の第二面は、板の第二層により覆われており；
ｃ．第一及び第二の基材の第一面はお互いに、板の第一および第二層のプレート間開口を重ねるために間隔をおいてサイズされた一列の開口板に貼り付いており、それにより、第一及び第二の基材は、板により覆われており、ガードプレート、開口板、およびそれらの組合わせから選択され；そして
ｄ．板の第一及び第二層間のプレート間開口の記録を最小にするために、第一及び第二の基材がお互いに配向されている、（４７）に記載の織物。
（５３）  板列中にわたってデボンディングストレスを分散することにより、板間の接続材料が、個々の板上のデボンディングストレスを緩和させる、（４７）に記載の織物。
（５４）  板が、浸入抵抗性で熱硬化性エポキシから選択される、（４７）〜（５３）のいずれか１項に記載の織物。
（５５）  各層の板が、お互いに配向され、それにより、開口が、織物を横切る直線を形成しない、（４７）〜（５７）のいずれか１項に記載の織物。
（５６）  接続材料が、ポリエステルシフォンである、（４７）〜（５３）のいずれか１項に記載の織物。
（５７）  基材が、不織ポリウレタン及びナイロン合成皮である、（４７）〜（５３）のいずれか１項に記載の織物。
（５８）  層、板、または基材が、結合により貼りついている、（４７）〜（５３）のいずれか１項に記載の織物。
（５９）  ａ．各層が接続材料を通して設立されている板列であり、接続材料がお互いに予備的に間隔をおいた関係で該列の板を維持している、３個の層；
ｂ．板列の該３個の層間のプレート間開口の記録を最小にするためにお互いに配向されている該層；および
ｃ．お互いに貼りついた隣接層の接続材料、
を含む織物。
（６０）  隣接層が、板間にパターン化された結合スポットで、各層を結合することにより、他方と貼りついており、１つの層のスポットは、もう１つの層のスポットと重なっていない、（５９）に記載の織物。
（６１）  ａ．基材；および
ｂ．基材の第一面上に支持された層であって、連続部分を通っておよび基材の第一面の中に結合された不連続部分を有する連続および不連続部分のパターンを有し、それにより、連続部分がお互いに予備的に間隔をおいた不連続部分を維持する、前記の層、
を含む、織物。
（６２）  各層の不連続部分の記録を最小にするために、お互いに配向した層で基材の第二面上に支持された連続および不連続部分の層を更に含む、（６１）に記載の織物。
（６３）  両基材表面の連続および不連続部分が、同じものおよび異なるものから選択される、（６２）に記載の織物。
（６４）  不連続部分の層が、予備的に間隔をおいた関係で基材中にとどめられ、サイズされ、連続および不連続部分の層の連続部分を重ねるために間隔をおき、それにより、基材が重なった層の不連続部分により、覆われている、（６２）に記載の織物。
（６５）  ａ．連続及び不連続部分の第一層が、連続及び不連続部分の第二層でかぶさっており、それにより、第一および第二層が、連続部分の面積を最小にするためにお互いに登録され、そして、基材が層の登録された不連続部分により覆われており、
ｂ．しかも、第二層の連続部分が第一層の不連続部分と結合している、
（６２）に記載の織物。
（６６）  ａ．第二基材の第二面と反対の第一基材の第一面と、第一および第二基材が配向しており；
ｂ．第一および第二基材の第一面上の層の中の不連続部分間においてある連続部分の登録を最小化するために、第一および第二基材がお互いに配向されており；そして
ｃ．第二基材の第二面とは反対の第一基材の第二面が、第一および第二基材の第一面上の層の連続部分と重なるように間隔をおきサイズされた不連続部分の列によりお互いに結合されている、
（６１）に記載の織物。
（６７）  層中にわたってデボンディングストレスを分散することにより、不連続部分間の連続部分が、個々の不連続部分上のデボンディングストレスを緩和させる、（６１）〜（６６）に記載の織物。
（６８）  不連続部分が、浸入抵抗性で熱硬化性エポキシから選択される、（６１）〜（６６）のいずれか１項に記載の織物。
（６９）  各層の不連続部分が、お互いに配向され、それにより、連続部分が、織物を横切る直線を形成しない、（６１）〜（６６）のいずれか１項に記載の織物。
（７０）  連続部分が、ポリエステルシフォンである、（６１）〜（６６）のいずれか１項に記載の織物。
（７１）  基材が、不織ポリウレタン及びナイロン合成皮である、（６１）〜（６６）のいずれか１項に記載の織物。
（７２）  ａ．３個の層；
ｂ．しかも、各層が連続および不連続部分のパターンを有し、それにより、連続部分がお互いに予備的に間隔をおいた関係の不連続部分を維持し、お互いに３個の層の不連続部分の登録を確実にするために、層がお互いに配向されており、それにより、織物が、不連続部分により本質的に完全に覆われており；そして
ｃ．隣接層の連続部分がお互いに結合している：
を含む、織物。
（７３）  隣接層が、連続部分にパターン化された結合スポットで、お互いに結合されており、１つの層のスポットは、もう１つの層のスポットと重なっていない、（７２）に記載の織物。
（７４）  隣接層が、不連続部分と相応しない結合スポットで、お互いに結合されている、（７２）に記載の織物。
（７５）  不連続部分が、浸入抵抗性で熱硬化性エポキシから選択される、（７２）〜（７４）のいずれか１項に記載の織物。
（７６）  各列の不連続部分が、お互いに配向され、それにより、連続部分が、織物を横切る直線を形成しない、（７２）〜（７４）のいずれか１項に記載の織物。
（７７）  該層が、同じものおよび異なるものから選択される、（７２）に記載の織物。
（７８）  連続部分が、ポリエステルシフォンである、（７２）〜（７４）のいずれか１項に記載の織物。
（７９）  基材が、不織ポリウレタン及びナイロン合成皮である、（７２）〜（７４）のいずれか１項に記載の織物。
（８０）  ａ．基材上の接続材料を層にし；
ｂ．接続材料の頂上にテンプレートを配置し；
ｃ．基材中に接続材料を通してポリマー樹脂板をプリントし；
ｄ．テンプレートを除き；そして
ｅ．ポリマー樹脂を硬化する：
ことを包含する、基材上にポリマー樹脂板をプリントする方法。
（８１）  ポリマー樹脂が、熱硬化性エポキシである、（８０）に記載の織物。
（８２）  接続材料が、ポリエステルシフォンである、（８０）に記載の織物。
（８３）  基材が、不織ポリウレタン及びナイロン合成皮である、（８０）に記載の織物。
（８４）  繰返しパターンで配列された複数のプレートシートから構成される、刺し傷、穴、およびカットに抵抗性のある織物。材料は、プレートを相互に連通する。織物は、ねじれ可能で折り曲げ可能で柔軟である。それは、医学や他の環境で起こるカット、刺し傷及び穴あきの力に耐える物質から構成されている。